(57)【要約】【課題】電動ドライバーのチャックに回転可能に装着され、ハンガー等を掛ける洋灯吊や洋折の大きさが違う数種類の物を、段取り替えすることなく一つのビットで部屋などの壁や柱に取付けることができる洋灯吊・洋折着脱用ビットを提供する。【解決手段】受け板と押さえブロック案内坂とを、中間ブロックを挟みコの字状に接合し、シャフトを中間ブロックに接合し、押さえブロック案内板に押さえブロックが嵌って上下できる様に、押さえブロック案内板に逃がし溝が設けてある。押さえブロックはレバーと繋ぎボルトで連結され、レバーは、支点ボルトを支点にバネで持ち上げられ、押さえブロックと受け板の先端は、洋灯吊・洋折の鍔の外径が嵌る鍔ブレ防止凹溝を設け、鍔の面を押さえブロックの鍔（大）受け面と鍔（小）受け面で受け、押さえブロックは、洋灯吊・洋折の軸径を押さえる大小共通ブイ溝用凸部にブイ溝を設けてありレバーには、指巻き込み防止カバーを設けてあることを特徴とする。【選択図】図１
2015093375.tif 000002
【特許請求の範囲】
【請求項１】
受け板（１）と押さえブロック案内坂（２）とを、中間ブロック（３）を挟みコの字状に接合し、シャフト（９）を中間ブロック（３）に接合し、押さえブロック案内板（２）に押さえブロック（４）が嵌って上下できる様に、押さえブロック案内板（２）に逃がし溝（２３）が設けてある、押さえブロック（４）はレバー（７）に繋ぎボルト（５）で連結され、レバー（７）は、支点ボルト（６）を支点にバネ（８）で持ち上げられ、押さえブロック（４）と受け板（１）の先端は、洋灯吊・洋折の鍔（１６）の外径が嵌る鍔ブレ防止凹溝（１７）を設け、鍔（１６）の面を押さえブロック（４）の鍔（大）受け面）（２１）と鍔（小）受け面（２２）で受け、押さえブロック（４）は、洋灯吊・洋折の軸径を押さえる大小共通ブイ溝用凸部（１９）にブイ溝（１５）を設けた洋灯吊・洋折着脱用ビット。
【請求項２】
レバー（７）に指巻き込み防止カバー（１４）を設けた請求項１の洋灯吊・洋折着脱用ビット。
【発明の詳細な説明】
【技術分野】
【０００１】  本発明は、電動ドライバーのチャックに回転可能に装着され、ハンガー等を掛ける洋灯吊や洋折の大きさが違う数種類の物を、段取り替えすることなく一つのビットで部屋などの壁や柱に取付け、取り外しができるビットに関するものである。
【背景技術】
【０００２】  従来においては、洋灯吊及び洋折を壁や柱に取付ける場合、手で持って回転させて、取付ける、或いは壁や柱の材質が硬いときは、取付け箇所に下穴をあけてその下穴に、ねじ付脚部を差し込んで手で回して取付けており、不要になったら、手で回して、取り外していた。
【先行技術文献】
【０００３】
【特許文献１】  特開２００１−２２５２７６号公報
【特許文献２】  特開２００４−５０４０２号公報
【特許文献３】  特開２００５−３３５０４９号公報
【特許文献４】  特開２００９−６６７０４号公報
【特許文献５】  特開２０１０−１６２６７８号公報
【特許文献６】  実用新案登録第３１４２３７７号公報
【発明の概要】
【発明が解決しようとする課題】
【０００４】  これは、次のような欠点があった。
特許文献１においては、手でドライバーを回して締める様になっており、手が疲れるし、洋灯吊をセットするとき保持リング（２０）を外し保持部材（１２２）（１３２）で挟み保持リングを締める構造であり使い勝手が悪くセットに時間が掛かる。特許文献２においても、同じように洋灯吊を、挟み込んで締付、締付つまみ（４１）で締めて固定し、ドライバーを手で回して締める構造であり手が疲れるし使い勝手が悪い。特許文献３と特許文献６においては溝（１）に洋灯吊をセットしたとき手で洋灯吊を保持していないと落下してしまうし、大きい洋灯吊に合わせてあるため小さい洋灯吊を使いたいとき溝幅が大きくて使えなく、どの種類の大きさの洋灯吊でも固定でき安定した状態で使用できる構造になっていない。【０００５】  特許文献４においては、挟持体（１）が洋灯吊や洋折の形状に合わせた溝を加工してありその溝に洋灯吊や洋折を嵌め、挟持体（１）を回転体（１１）に嵌める構造であり、どの種類の洋灯吊や洋折にも対応するためにはそれぞれに合わせた挟持体（１）をそろえなければならず製作コストが掛かるのとセットに手間がかかるし、また、洋灯吊の取り外しには使えない。特許文献５においては、洋灯吊をセットするたびに、ねじ込みホルダー（６）を調整して左右の振れ止めをしなければならず、使い勝手が悪く、また、洋折は使えないし、取り外しには使えない構造である。【０００６】  以上のように、それぞれに欠点があり市販されている物はなく、現状は、壁や柱に取付けるとき洋灯吊や洋折を直接手で回して、取付けており手が痛くなり、続けて作業ができなかった。また、取付ける面の材質が硬いときは  、電気ドリルや錐で下穴をあけてから手で回して取付けていたので、段取りにも作業時間が多く掛かっていた。また必要がなくなり取り外す時も手で回して取り外すため、脱着が数か所あるときは肉体的にも疲労が大きくなり大変な作業だった。
本発明は、以上の問題点を解決するものである。
【課題を解決するための手段】
【０００７】（イ）本発明は、図１に示すように受け板（１）と押さえブロック案内坂（２）とを、中間ブロック（３）を挟みコの字状に接合し、シャフト（９）を中間ブロック（３）に接合してあり電動ドライバー（１８）のチャックに嵌め回転させて使用する。（図２）
（ロ）図４に示すように押さえブロック案内板（２）に押さえブロック（４）が嵌って上下できる様、押さえブロック案内板（２）に逃がし溝（２３）が入っており、押さえブロック（４）はレバー（７）と繋ぎボルト（５）で連結されている。押さえブロック（４）と受け板（１）の先端は、洋灯吊（小）（１２）・洋折（小）（１３）の鍔（１６）の小さい種類の外径が嵌りブレないよう鍔ブレ防止凹溝（１７）を入れてある。
（ハ）図３に示すようにレバー（７）は、支点ボルト（６）を支点にバネ（８）で持ち上げられており、レバー（７）とシャフト（９）との間で指を巻き込まれないよう指巻き込み防止カバー（１４）を設けてある
（二）図５に示すように壁等に取り付けるとき洋灯吊や洋折が後ろに逃げない様に鍔（１６）の面が押さえブロック（４）の鍔（大）受け面（２１）鍔（小）受け面（２２）で受けるようになっている。
（ホ）図１０に示すように押さえブロック（４）には、洋灯吊・洋折の軸径の大きい径から小さい径までが安定して押さえられるよう大小共通ブイ溝用凸部（１９）にブイ溝（１５）を入れてある。
本発明は以上の構造である。
【発明の効果】
【０００８】  電動ドライバー（１８）に洋灯吊・洋折脱着用ビットを装着して、レバー（７）を指で押さえて、押さえブロック（４）を開き洋灯吊や洋折を挟む。洋灯吊・洋折を押さえブロック（４）で挟んでいるので落下することがなく、上下横どの位置の壁や柱でも使用できる。挟み込んだ洋灯吊や洋折のネジ部先端を壁や柱の面に当て電動ドライバー（１８）を回転させながら押すと、自動的にねじ込んでいく、取付後は、レバー（７）を押さえて押さえブロック（４）を開かなくても、そのまま電動ドライバーを手前に引くだけで外れる。洋灯吊・洋折の大きさは、数種類あるがどのタイプの物でも、段取り替え等することなく使用できる。また、壁や柱などに取り付けてある洋灯吊・洋折が必要なくなり取り外したいときは、レバー（７）を指で押さえて、押さえブロック（４）を開いて、洋灯吊や洋折を挟んで電動ドライバー（１８）を逆転させれば簡単に外すことができる。数が多いとき、早く簡単にできるので体に負荷がなく指が痛くなることもない。
【図面の簡単な説明】
【０００９】
【図１】本発明の斜視図
【図２】本発明の電動ドライバーへ装着図
【図３】本発明の洋灯吊挟み込みの装着の状態を示す側面図
【図４】本発明の鍔ブレ防止凹溝斜視図
【図５】本発明の鍔（大）（小）受け面の上面図
【図６】本発明の洋灯吊（大）（小）装着拡大上面図
【図７】本発明の左側面図
【図８】本発明の洋灯吊（大）洋折（大）の取付状態を示す上面図
【図９】本発明の洋灯吊（小）洋折（小）の取付状態を示す上面図
【図１０】本発明の押さえブロック図
【発明を実施するための形態】
【００１０】  以下本発明を実施するための形態について説明する。
（イ）図１に示すように受け板（１）と押さえブロック案内坂（２）とを、中間ブロック（３）を挟みコの字状に接合し、シャフト（９）を中間ブロック（３）に接合してあり電動ドライバー（１８）のチャックに嵌め回転させて使用する。（図２）
（ロ）図４に示すように押さえブロック案内板（２）に押さえブロック（４）が嵌って上下できる様、押さえブロック案内板（２）に逃がし溝（２３）が入っており、押さえブロック（４）はレバー（７）と繋ぎボルト（５）で連結されている。押さえブロック（４）と受け板（１）の先端は、洋灯吊（小）（１２）・洋折（小）（１３）の鍔（１６）の小さい種類の外径が嵌りブレないよう鍔ブレ防止凹溝（１７）を入れてある。
（ハ）図３に示すようにレバー（７）は、支点ボルト（６）を支点にバネ（８）で持ち上げられており、レバー（７）とシャフト（９）との間で指を巻き込まれないよう指巻き込み防止カバー（１４）を設けてある。
（二）図５に示すように壁等に取り付けるとき洋灯吊や洋折が後ろに逃げない様に鍔（１６）の面が押さえブロック（４）の鍔（大）受け面（２１）鍔（小）受け面（２２）で受けるようになっている。
（ホ）図１０に示すように押さえブロック（４）には、洋灯吊・洋折の軸径の大きい径から小さい径までが安定して押さえられるよう大小共通ブイ溝用凸部（１９）にブイ溝（１５）を入れてある。
本発明は以上のような構造である。
【００１１】  本発明を使用するときは、電動ドライバー（１８）のチャックにシャフト（９）を装着しレバー（７）を指で押さえて、押さえブロック（３）を開き、洋灯吊や洋折を挟み回転させ、壁や柱に取り付ける。取付が出来たらそのまま手前に電動ドライバー（１８）を引けば、レバー（７）を開くことなくそのまま外れる。また、不要になった洋灯吊や洋折を取り外す時は、レバー（７）を押さえて押さえブロック（３）を開き、洋灯吊や洋折を挟んで電動ドライバー（１８）を逆転させて取り外す。
【符号の説明】
【０００１２】  １  受け板
２  押さえブロック案内板
３  中間ブロック
４  押さえブロック
５  繋ぎボルト
６  支点ボルト
７  レバー
８  バネ
９  シャフト
１０  洋灯吊（大）
１１  洋折（大）
１２  洋灯吊（小）
１３  洋折（小）
１４  指巻き込み防止カバー
１５  ブイ溝
１６  鍔
１７  鍔振れ防止凹溝
１８  電動ドライバー
１９  大小共通ブイ溝用凸部
２０  繋ボルト用ネジ穴
２１  鍔（大）受け面
２２  鍔（小）受け面
２３  逃がし溝
【図１】
2015093375.tif 000003
【図２】
2015093375.tif 000004
【図３】
2015093375.tif 000005
【図４】
2015093375.tif 000006
【図５】
2015093375.tif 000007
【図６】
2015093375.tif 000008
【図７】
2015093375.tif 000009
【図８】
2015093375.tif 000010
【図９】
2015093375.tif 000011
【図１０】
2015093375.tif 000012